【手続補正書】
【提出日】平成17年1月5日(2005.1.5)
【手続補正１】
【補正対象書類名】明細書
【補正対象項目名】特許請求の範囲
【補正方法】変更
【補正の内容】
【特許請求の範囲】
【請求項１】
圧縮部分、引張り部分、および前記圧縮部分と前記引張り部分との中間にあって縦方向の補強コードを有する荷重支持部分を備え、前記圧縮部分は、少なくとも一つの布層と、縦方向に延びる複数のリブを形成している縦方向に延びる複数の溝を有している、動力伝達用ベルトにおいて、
前記少なくとも一つの布層は、前記縦方向に延びる複数のリブの最外側の面から間隔をおいて配置され、
前記各布層の未処理状態での標準厚さは０．２０から１．０ｍｍの範囲内である、ことを特徴とする動力伝達用ベルト。
【請求項２】
前記少なくとも一つの布層は、前記リブの前記最外側の面から、前記縦方向に延びる溝の深さｙの５％から５０％である距離ｘだけ離れて配置されている、請求項１に記載の動力伝達用ベルト。
【請求項３】
前記少なくとも一つの布層は、前記縦方向に延びる溝の深さｙの６％から５０％である標準厚さｔを有する、請求項１に記載の動力伝達用ベルト。
【手続補正２】
【補正対象書類名】明細書
【補正対象項目名】０００１
【補正方法】変更
【補正の内容】
【０００１】
【発明の属する技術分野】
本発明は動力伝達用ベルトに関し、特にベルトの全長にわたって連続的に延びるリブ（畝または連続突出部とも言う）または不連続的な畝を備えたＶ字型畝付き動力伝達用ベルトに関する。
【手続補正３】
【補正対象書類名】明細書
【補正対象項目名】０００２
【補正方法】変更
【補正の内容】
【０００２】
【従来の技術】
従来の動力伝達用ベルトにおいて、ベルトは、内側の圧縮部分と外側の引張り部分と中間の中立面とを有する。典型的には、螺旋状に巻かれた補強コードが中立面内に配置されるので、その中立面は荷重支持領域とも呼ばれる。
【手続補正４】
【補正対象書類名】明細書
【補正対象項目名】０００３
【補正方法】変更
【補正の内容】
【０００３】
Ｖ字型畝付きベルトには２つの異なるタイプがある。第１のタイプは、帯で巻かれた多列Ｖ字型ベルトである。帯で巻かれた多列Ｖ字型ベルトにおいては、母材の帯が多数のＶベルトを互いに固着する。帯で巻かれた多列Ｖ字型ベルトの製造方法は、複数のＶベルトを形成し、それからそれらを固着する帯状材料を貼り付け、即ちベルト材料の中心線から離れて配置される螺旋巻き補強コードを有する大きなベルト状の材料を形成し、それから縦方向に延びる複数の畝を形成するため、深さが補強コードの位置以上となる溝をベルト材料に掘り込むことを含む製造方法である。これらの方法で製造される帯で巻かれた多列Ｖ字型ベルトにおいては、各Ｖ字型の畝はベルト全体の駆動中に独立して動作し、各畝はそれぞれの中立面を有している。このような帯で巻かれた多列Ｖ字型ベルトの一つが米国特許第４，１７７，６８８号に開示されている。
【手続補正５】
【補正対象書類名】明細書
【補正対象項目名】０００５
【補正方法】変更
【補正の内容】
【０００５】
Ｖ字型畝付きベルトは、また、横断方向の溝を備えることもある。そのような横断方向の溝はベルトに対して横方向に延びているか、ベルトの横方向に対しある角度を持っている。このような歯付きのＶ字型畝付きベルトは、米国特許第４，００２，０８２号および第５，３８２，１９８号に開示されている。横断方向の溝を横方向に対して或る角度だけ傾斜させることにより、溝が横方向に延びる場合よりも騒音が低下する。
【手続補正６】
【補正対象書類名】明細書
【補正対象項目名】０００７
【補正方法】変更
【補正の内容】
【０００７】
【課題を解決するための手段】
本発明の動力伝達用ベルトは、圧縮部分と、引張り部分と、これらの圧縮部分と引張り部分との中間にあって縦方向の補強コードを有する荷重支持部分とを備えている。圧縮部分は、少なくとも一つの布層と、縦方向に延びる複数のリブ（畝）を形成する縦方向に延びる複数の溝とを有している。この少なくとも一つの布層は、縦方向に延びる複数の畝の最外側の面から間隔をおいて配置されている。各布層の未処理状態での標準厚さは０．２０から１．０ｍｍの範囲内であり、０．２５から０．７５ｍｍの範囲内であることが好ましい。
【手続補正７】
【補正対象書類名】明細書
【補正対象項目名】００１０
【補正方法】変更
【補正の内容】
【００１０】
圧縮部分の布層は、縦方向に延びる溝の深さｙの６％から５０％の標準厚さｔを有する。この圧縮部分は５層以下の布層であってよい。
【手続補正８】
【補正対象書類名】明細書
【補正対象項目名】００１１
【補正方法】変更
【補正の内容】
【００１１】
また、圧縮部分と、引張り部分と、中間の荷重支持部分とを有している動力伝達用ベルトも開示されている。この圧縮部分は、少なくとも一つの布層と、縦方向に延びる複数の溝と、横断方向に伸びている複数の溝とを有する。各布層の未処理状態での標準厚さは０．２０から１．０ｍｍの範囲内であり、０．２５から０．７５ｍｍの範囲内であることが好ましい。
【手続補正９】
【補正対象書類名】明細書
【補正対象項目名】００１２
【補正方法】変更
【補正の内容】
【００１２】
この発明の一つの態様では、少なくとも一つの布層は、畝の最外側の面から、縦方向に延びる溝の深さｙの５％から５０％である距離ｘだけ離れて配置されている。
【手続補正１０】
【補正対象書類名】明細書
【補正対象項目名】００１５
【補正方法】変更
【補正の内容】
【００１５】
図１は、本発明により構成されるＶ字型畝（リブ）付き動力伝達用ベルトの部分断面を含む斜視図、図２は、図１のＶ字型畝付き動力伝達用ベルトの部分拡大断面図、図３は、本発明により構成される歯付きのＶ字型畝付き動力伝達用ベルトの部分断面を含む斜視図である。
【手続補正１１】
【補正対象書類名】明細書
【補正対象項目名】００１６
【補正方法】変更
【補正の内容】
【００１６】
図１において参照番号１０で全体が示される多列畝付き動力伝達用ベルトは、引張り部分１２、荷重支持部分１４、および圧縮部分１６を有する。圧縮部分は、縦方向の複数の溝２０を持った縦方向の複数のリブ（畝または連続突出部とも言う）１８を有する。荷重支持部分１４は、適切な母材２４に埋め込まれた縦方向の補強コード２２を有する。
【手続補正１２】
【補正対象書類名】明細書
【補正対象項目名】００１８
【補正方法】変更
【補正の内容】
【００１８】
ベルトの荷重支持部分１４の母材２４は、また、当業者に知られている任意の適当な材料で作ることができる。補強コード２２は、ベルト本体を横切ってほぼ等間隔に配置された個別の撚りを有する螺旋状に巻かれたコードであることが好ましい。補強コード２２は、グラスファイバー、カーボンファイバー、スチール、ポリエステル、高強度レイヨン、ポリアミド、または任意のこれら材料の組み合わせから作ることができる。
【手続補正１３】
【補正対象書類名】明細書
【補正対象項目名】００２７
【補正方法】変更
【補正の内容】
【００２７】
【発明の効果】
以上説明したように本発明は、圧縮部分と、引張り部分と、その圧縮部分と引張り部分との中間に縦方向の補強コードを含む荷重支持部分とを有し、圧縮部分は、少なくとも一つの布層と、縦方向に延びる複数のリブ（畝）を形成している縦方向に延びる複数の溝を有している、動力伝達用ベルトにおいて、少なくとも一つの布層は、縦方向に延びる畝の最外側の面から間隔をおいて配置されて畝の側面に露出しており、各布層の未処理状態での標準厚さが０．２０から１．０ｍｍであること等によって、畝内にクッション効果の増大が齎らされ、スリップ状態の間に発生する騒音が大幅に縮小される、改良された動力伝達用ベルトを提供することができるという効果がある。
【手続補正１４】
【補正対象書類名】明細書
【補正対象項目名】図面の簡単な説明
【補正方法】変更
【補正の内容】
【図面の簡単な説明】
【図１】
本発明により構成されるＶ字型畝付き動力伝達用ベルトの部分断面を含む斜視図である。
【図２】
図１のＶ字型畝付き動力伝達用ベルトの部分拡大断面図である。
【図３】
本発明により構成される歯車状Ｖ字型畝付き動力伝達用ベルトの部分断面を含む斜視図である。
【符号の説明】
１０  動力伝達用ベルト
１２  引張り部分
１４  荷重支持部分
１６  圧縮部分
１８  縦方向の畝（リブ）
２０  溝
２２  縦方向の補強コード
２４  母材
２６  弾性材料
２８  布層
３０  最外側の面
３２  弾性層
３４  横断方向の溝
【手続補正１５】
【補正対象書類名】図面
【補正対象項目名】図１
【補正方法】変更
【補正の内容】
【図１】
2002227937.tif 000001
【手続補正１６】
【補正対象書類名】図面
【補正対象項目名】図３
【補正方法】変更
【補正の内容】
【図３】
2002227937.tif 000002